(57)【要約】【課題】壁紙切り替えによる省電力機能を容易に実現する技術を提供する。【解決手段】本体と、表示装置と、この表示装置に複数の壁紙の内の一つを表示させる、前記本体に内在するＧＰＵと、前記本体及び前記表示装置に供給される電力の電力量を計測する計測手段と、前記複数の壁紙それぞれに対応するこの電力量を登録する登録手段とを備えた情報処理装置。また本体と、表示装置と、この表示装置に複数の壁紙の内の一つを表示させる、前記本体に内在するＧＰＵとを備えた情報処理装置の制御方法であって、前記本体及び前記表示装置に供給される電力の電力量を計測する計測工程と、前記複数の壁紙それぞれに対応するこの電力量を登録する登録工程と、前記複数の壁紙の内でこの電力量に基づいて壁紙を選ぶ選択工程とを含んだ情報処理装置の制御方法。【選択図】  図４
2014146152.tif 000002
【特許請求の範囲】
【請求項１】
本体と、
表示装置と、
この表示装置に複数の壁紙の内の一つを表示させる、前記本体に内在するＧＰＵと、
前記本体及び前記表示装置に供給される電力の電力量を計測する計測手段と、
前記複数の壁紙それぞれに対応するこの電力量を登録する登録手段とを
備えた情報処理装置。
【請求項２】
前記リストに基づき前記電力量がより少ない壁紙を選ぶ選択手段を更に備えた請求項１に記載の情報処理装置。
【請求項３】
前記選択手段は、前記複数の壁紙の内で最も省電力な壁紙を選ぶように働く請求項２に記載の情報処理装置。
【請求項４】
前記選択手段は、前記複数の壁紙の内で外部から指定された壁紙を選ぶ請求項２に記載の情報処理装置。
【請求項５】
本体と、表示装置と、この表示装置に複数の壁紙の内の一つを表示させる、前記本体に内在するＧＰＵとを備えた情報処理装置の制御方法であって、
前記本体及び前記表示装置に供給される電力の電力量を計測する計測工程と、
前記複数の壁紙それぞれに対応するこの電力量を登録する登録工程と、
前記複数の壁紙の内でこの電力量に基づいて壁紙を選ぶ選択工程とを
含んだ情報処理装置の制御方法。
【発明の詳細な説明】
【技術分野】
【０００１】
本発明の実施形態は、情報処理装置および情報処理装置の制御方法に関する。
【背景技術】
【０００２】
液晶表示装置などを備えた電子機器においては、表示画面の表示のベースとして所謂壁紙を多様に選択できる構成が採られている。他方でユーザー等からの省電力への要望がある。しかしながら、壁紙の種類毎の省電力情報をユーザーへ的確に知らせて、壁紙切り替えによる省電力機能を容易に実現するための手段は知られていない。
【先行技術文献】
【特許文献】
【０００３】
【特許文献１】特開２００９−２５１２７３号公報
【発明の概要】
【発明が解決しようとする課題】
【０００４】
本発明の実施の形態は、壁紙切り替えによる省電力機能を容易に実現する技術を提供することを目的とする。
【課題を解決するための手段】
【０００５】
上記課題を解決するために、実施形態によれば情報処理装置は、本体と、表示装置と、この表示装置に複数の壁紙の内の一つを表示させる、前記本体に内在するＧＰＵと、前記本体及び前記表示装置に供給される電力の電力量を計測する計測手段と、前記複数の壁紙それぞれに対応するこの電力量を登録する登録手段とを備える。
【図面の簡単な説明】
【０００６】
【図１】本実施形態におけるパーソナルコンピュータの一例を示す斜視図。
【図２】本実施形態におけるパーソナルコンピュータのシステム構成を示すブロック図。
【図３】同実施形態の代表的なHW構成図、グラフィックス内蔵CPUの場合と１チップモデルの場合のHW構成図。
【図４】一実施形態の壁紙切り替えによる省電力機能の全体処理手順を示す図。
【図５】同実施形態の壁紙ごとの電力測定処理フロー図１。
【図６】同実施形態の壁紙ごとの電力測定処理フロー図２。
【図７】同実施形態に用いられる壁紙ごとの省電力度合いリスト化例を示す図。
【図８】同実施形態に用いられる壁紙Ｄ壁紙Ｅを示す図。
【発明を実施するための形態】
【０００７】
以下、一実施形態を図１乃至図８を参照して説明する。
【０００８】
まず、図１を参照して、情報処理装置の実施形態にかかる電子機器の構成について説明する。この電子機器は、例えば、バッテリによって駆動可能なノートブック型の携帯型パーソナルコンピュータ１０として実現されている。図１は、ディスプレイユニットを開いた状態におけるパーソナルコンピュータ１０を正面側から見た斜視図である。
【０００９】
パーソナルコンピュータ１０は、コンピュータ本体１１と、ディスプレイユニット１２とから構成される。ディスプレイユニット１２には、ＬＣＤ１９（Liquid Crystal Display）から構成される表示装置が組み込まれている。
【００１０】
ディスプレイユニット１２は、コンピュータ本体１１に支持され、そのコンピュータ本体１１に対してコンピュータ本体１１の上面が露出される開放位置とコンピュータ本体１１の上面がディスプレイユニット１２によって覆れる閉塞位置との間を回動自由に取り付けられている。コンピュータ本体１１は薄い箱形の筐体を有しており、その上面にはキーボード１３、パーソナルコンピュータ１０を電源オン／オフするための電源スイッチ１４およびタッチパッド１５が配置されている。
【００１１】
また、コンピュータ本体１１には、電源コネクタ２０が設けられている。電源コネクタ２０はコンピュータ本体１１の側面、例えば左側面に設けられている。この電源コネクタ２０には、外部電源装置が取り外し自在に接続される。外部電源装置としては、ＡＣアダプターを用いることが出来る。ＡＣアダプターは商用電源（ＡＣ電力）をＤＣ電力に変換する電源装置である。
【００１２】
電源コネクタ２０は、ＡＣアダプターのような外部電源装置から導出される電源プラグが取り外し自在に接続可能なジャックから構成されている。バッテリ１７は、例えば、コンピュータ本体１１の後端部に取り外し自在に装着される。
【００１３】
パーソナルコンピュータ１０は、外部電源装置からの電力、バッテリ１７からの電力によって駆動される。パーソナルコンピュータ１０の電源コネクタ２０に外部電源装置が接続されているならば、パーソナルコンピュータ１０は外部電源装置からの電力によって駆動される。また、外部電源装置からの電力は、バッテリ１７を充電するためにも用いられる。バッテリ１７の充電は、パーソナルコンピュータ１０が電源オンされている期間中のみならず、パーソナルコンピュータ１０が電源オフされている期間中にも実行してもよい。パーソナルコンピュータ１０の電源コネクタ２０に外部電源装置が接続されていない期間中は、パーソナルコンピュータ１０はバッテリ１７からの電力によって駆動される。
【００１４】
また、コンピュータ本体１１には、外部電源装置の有無等の各種電源ステータスを通知するためのインジケータ１６が設けられている。このインジケータ１６は、例えば、コンピュータ本体１１の正面に設けられている。インジケータ１６は、ＬＥＤから構成し得る。なお、スペーサ１８はコンピュータ本体１１の後部を高く保持するためのものである。
【００１５】
図２は、パーソナルコンピュータ１０のシステム構成を示している。パーソナルコンピュータ１０は、ＣＰＵ１１１、主メモリ１１３、グラフィクスコントローラ１１４、システムコントローラ１１５、ハードディスクドライブ（ＨＤＤ）１１６、光ディスクドライブ（ＯＤＤ）１１７、ＢＩＯＳ−ＲＯＭ１１８、エンベデッドコントローラ／キーボードコントローラ（ＥＣ／ＫＢＣ）１１９、電源コントローラ（ＰＳＣ）１２０、電源回路１２１、ＡＣアダプター１２２等を備えている。ＡＣアダプター１２２は上述の外部電源装置として使用される。本実施形態において、電源コントローラ（ＰＳＣ）１２０と電源回路１２１とは、外部電源装置（ＡＣアダプター）からの電力量を測定するための消費電力測定回路１２３として機能する。消費電力測定回路１２３は、パーソナルコンピュータ１０が電源オンされている期間だけでなく、電源オフされている期間においても電力量を測定する。本実施形態では、例えば外部電源装置（ＡＣアダプター）から供給される電力をパーソナルコンピュータ１０における消費電力として扱う。電力量を計測する計測手段の主体であるＥＣ／ＫＢＣ１１９は、消費電力測定回路１２３によって測定された電力量（電流値、電圧値）、すなわち消費電力値を示すデータを読み取り、システムコントローラ１１５を通じてＣＰＵ１１１（オペレーティングシステム（ＯＳ））に出力する。
【００１６】
ＣＰＵ１１１は、パーソナルコンピュータ１０の各コンポーネントの動作を制御するプロセッサである。このＣＰＵ１１１は、ＨＤＤ１１６から主メモリ１１３にロードされる各種ソフトウェア、例えば、オペレーティングシステム（ＯＳ）１１３ａおよび各種ユーティリティプログラムやアプリケーションプログラムを実行する。
【００１７】
ユーティリティプログラムには、ピークシフト機能を実現するためのピークシフトユーティリティ１１３ｂが含まれる。ピークシフト機能は、社会全体における電力消費のピーク時間帯（昼間、特に夏期の日中１３時〜１６時など）に、外部電源装置（ＡＣアダプター）からの電力供給を停止してバッテリ駆動に切り替え、電力消費の少ない時間帯（夜間）にバッテリの充電をするように電源管理する機能である。
【００１８】
アプリケーションプログラムには、消費電力測定回路１２３によって測定された消費電力値を示すデータを処理する消費電力量測定プログラム１１３ｃが含まれる。消費電力量測定プログラム１１３ｃは、ＥＣ／ＫＢＣ１１９のメモリ１１９ａ（揮発性のメモリ）に記録された消費電力値を示すデータを、ＯＳ１１３ａを通じて読み出してＨＤＤ１１６に記録する。また、消費電力量測定プログラム１１３ｃは、ＨＤＤ１１６に記録された消費電力値を示すデータを外部装置に送信する送信処理、外部装置に送信するデータを生成するデータ生成処理、消費電力値を示すデータをもとにした電力量の変化を表す画面（グラフ等）を表示する表示処理等を実行する。データ生成処理には、要求されるデータ精度（データ量）とするためのデータ補完処理が含まれる。
【００１９】
また、ＣＰＵ１１１は、不揮発性メモリであるＢＩＯＳ−ＲＯＭ１１８に格納されたＢＩＯＳ（基本入出力システム：Basic Input Output System）も実行する。ＢＩＯＳ（以下BIOS）はハードウェア制御のためのシステムプログラムである。
【００２０】
グラフィクスコントローラ１１４は、パーソナルコンピュータ１０のディスプレイモニタとして使用されるＬＣＤ１９を制御する表示コントローラである。
システムコントローラ１１５は、ＰＣＩバス１に接続されており、ＰＣＩバス１上の各デバイスとの通信を実行する。ＰＣＩバス１には、例えば通信デバイス１２４が接続される。通信デバイス１２４は、ＣＰＵ１１１の制御のもとで、ネットワークを介した外部装置（例えば、データサーバ）との通信を制御する。また、システムコントローラ１１５は、ハードディスクドライブ（ＨＤＤ）１１６および光ディスクドライブ（ＯＤＤ）１１７を制御するためのSerial ATAコントローラを内蔵している。
【００２１】
ＥＣ／ＫＢＣ１１９、電源コントローラ（ＰＳＣ）１２０、およびバッテリ１７は、Ｉ２Ｃバスのようなシリアルバス２を介して相互接続され、システムコントローラ１１５とＬＰＣバスを介して接続されている。ＥＣ／ＫＢＣ１１９は、パーソナルコンピュータ１０の電力管理を実行するための電源管理コントローラであり、例えば、キーボード（ＫＢ）１３およびタッチパッド１５などを制御するキーボードコントローラを内蔵した１チップマイクロコンピュータとして実現されている。ＥＣ／ＫＢＣ１１９は、ユーザーによる電源スイッチ１４の操作に応じてパーソナルコンピュータ１０を電源オンおよび電源オフする機能を有している。パーソナルコンピュータ１０の電源オンおよび電源オフの制御は、ＥＣ／ＫＢＣ１１９とＰＳＣ１２０との協働動作によって実行される。ＥＣ／ＫＢＣ１１９から送信されるオン信号を受けると、ＰＳＣ１２０は電源回路１２１を制御してパーソナルコンピュータ１０の各内部電源をオンする。また、ＥＣ／ＫＢＣ１１９から送信されるオフ信号を受けると、ＰＳＣ１２０は電源回路１２１を制御してパーソナルコンピュータ１０の各内部電源をオフする。ＥＣ／ＫＢＣ１１９、ＰＳＣ１２０、および電源回路１２１は、パーソナルコンピュータ１０が電源オフされている期間中も、バッテリ１７、またはＡＣアダプター１２２からの電力によって動作する。
【００２２】
電源回路１２１は、コンピュータ本体１１に装着されたバッテリ１７からの電力、またはコンピュータ本体１１に外部電源として接続されるＡＣアダプター１２２からの電力を用いて、各コンポーネントへ供給すべき電力（動作電源）を生成する。コンピュータ本体１１にＡＣアダプター１２２が接続されている場合には、電源回路１２１は、ＡＣアダプター１２２からの電力を用いて各コンポーネントへの動作電源を生成すると共に、充電回路（図示せず）をオンすることによってバッテリ１７を充電する。電源回路１２１には、ＡＣアダプター１２２の電圧値及び電流値、バッテリ１７の電圧値及び電流値を示す信号を出力する検出回路１２１ａが含まれる。ＰＳＣ１２０は、検出回路１２１ａから出力される信号をもとに、ＡＣ電源の電流値／電圧値を示すデータ、バッテリ１７の電流値／電圧値を示すデータを生成する。
【００２３】
本実施形態におけるＥＣ／ＫＢＣ１１９、ＰＳＣ１２０、および電源回路１２１は、パーソナルコンピュータ１０が電源オンされている期間だけでなく、電源オフされている期間中も消費電力測定回路１２３により測定される消費電力値を示すデータを測定し、このデータを記録するための動作をする。
【００２４】
ＥＣ／ＫＢＣ１１９（以下EC）は、電源オンされている期間では、ＰＳＣ１２０から入力される消費電力値を示すデータを直ぐにシステムコントローラ１１５を通じてＣＰＵ１１１（ＯＳ１１３ａ、消費電力量測定プログラム１１３ｃ）に出力し、消費電力量測定プログラム１１３ｃがそのデータをＨＤＤ１１６に記録する。一方、電源オフされている期間では、ＰＳＣ１２０から入力される消費電力値を示すデータを内部のメモリ１１９ａに一時記録して、次の電源オン時にシステムコントローラ１１５を通じてＣＰＵ１１１（ＯＳ１１３ａ、消費電力量測定プログラム１１３ｃ）に出力し、消費電力量測定プログラム１１３ｃがそのデータをＨＤＤ１１６に記録する。
【００２５】
さて本実施形態の機能はＬＣＤのような表示装置を有し、特に表示画像によるＬＥＤバックライト電力低減機能を有するグラフィックスを搭載した機器に適用する (図３参照) 。即ち図３は、上記のような構成内における中心となる構成について示している。
【００２６】
ここで図３（ａ）は代表的なＨＷ構成を示していて、各部は図２の同一番号の部分に対応している。なお図２の例では、チップセットが単一のシステムコントローラ１１５として実現されている。
【００２７】
また図３（ｂ）では、図３（ａ）のＧＰＵ(Graphics Processing Unit)の機能がＣＰＵ１１１ａに内蔵されている。更に図３（ｃ）では、図３（ａ）のＣＰＵ１１１ａとチップセット１１５とが、ＣＰＵ１１１ｂとして１チップモデルとして構成されている。
【００２８】
次に、壁紙切り替えによる省電力機能の実装例を以下に説明する。まず、壁紙切り替えによる省電力機能(アプリケーション)を起動した場合のＣＰＵ１１１を主体とする手順を図４以下に示す。
【００２９】
図４は、一実施形態の壁紙切り替えによる省電力機能の全体処理手順を示す図である。
ステップＳ４１：  壁紙の選択と登録をする。即ちユーザーに使用したい壁紙を登録してもらう。既に使用可能な現在の壁紙は、例えばデフォルトで登録済みであり、同様な使用可能状態で追加登録すればよい。例えばユーザーはインターネットから好みの壁紙をダウンロードして、この壁紙はＣＰＵ１１１によりＨＤＤ１１６に取り込まれる。
【００３０】
ステップＳ４２：  壁紙ごとの電力測定をする。方法としては、登録した壁紙を切り替えて、デスクトップアイドル状態での電力システム電力（下記注１）またはLEDバックライト電力（下記注２）を測定する。なお、機器がACアダプター駆動時とバッテリ駆動時でグラフィックス省電力機能設定が異なる可能性があるため、電力測定はACアダプター駆動時とバッテリ駆動時でそれぞれ測定する。詳しいフローは図５以下に関して説明する。
【００３１】
ステップＳ４３：  省電力用壁紙の選択をする。壁紙ごとの省電力度合いを示して（図７参照）ユーザーに省電力用壁紙を選択してもらう。デフォルトでは最も電力が低かった壁紙を省電力用壁紙として選択しておく。詳しくは図７に関して説明する。
【００３２】
ステップＳ４４：  壁紙切り替え設定をする。ユーザーに壁紙の切り替えタイミングや条件を設定してもらう。
例えばユーザーはタッチパネル１５に付随する右ボタンをクリックして、ＣＰＵ１１１に設定メニューをＧＰＵ経由で表示装置(ＬＣＤ)に表示させる。更に下記（１）〜（３）に対応するサブメニューをクリックして開いた後、（１）〜（３）に対応する各ラジオボタンで選ぶように構成しておく。
【００３３】
切り替え設定例は次のようである。（１）〜（３）はそれぞれに選択可能である。
（１）常に省電力用壁紙を使用
（２）バッテリ駆動時に省電力用壁紙に切り替える
（３）ユーザー操作がない場合に省電力用壁紙に切り替える
（注１：システム電力の場合）
現行システムではACアダプター・バッテリ駆動時ともシステム電力を測定するための回路が一般的に備わっており、新規回路追加がいらない。ただしアイドル時の電力の算出は次のようになる。
【００３４】
（Ａ）ACアダプター駆動時はDC-IN電圧・電流値をEC(図３（ａ）)で測定しシステム電力を算出する
（Ｂ）バッテリ駆動時はバッテリ電圧・電流値をEC（図３（ａ））で測定しバッテリ電力を算出する
（注２：LEDバックライト電力を直接測定する場合）
LEDバックライト電源ラインに電流検出抵抗を追加し、LEDバックライト電源の電圧・電流値をマイコン(EC)で測定する回路が必要となる。システム電力と比べLEDバックライト電力データが正確に測定でき、測定時間も短くてすむ。即ち、ACアダプター・バッテリ駆動時とも、LEDバックライト電圧・電流値をマイコン(EC)で測定し電力を算出する。
【００３５】
図５は、実施形態の壁紙ごとの電力測定処理フロー図である。上記ステップＳ４２を詳細化したサブルーチンである。
ステップＳ５１：  本機能以外の起動中の全てのアプリケーションの終了要求をＣＰＵ１１１はユーザーに向け表示する。
ステップＳ５２：  これら全アプリケーションの終了をユーザーはタッチパネル１５に付随するボタンをクリックして実施する。
ステップＳ５３：  これらアプリケーションが終了したかＣＰＵ１１１は判定する。この判定がＹｅｓの場合はステップＳ５５に飛び、Ｎｏの場合は次のステップＳ５４を実施後にステップＳ５５に進む。
【００３６】
ステップＳ５４：  正確な電力測定ができない可能性がある旨をＣＰＵ１１１はユーザーに向け警告表示する。
ステップＳ５５：  ＡＣアダプターを接続する旨の要求をＣＰＵ１１１はユーザーに向け表示する。
ステップＳ５６：  ＡＣアダプターを接続しているかＣＰＵ１１１は判定する。この判定がＹｅｓの場合は次のステップＳ５８に進み、Ｎｏの場合はステップＳ５７を実施後にステップＳ６２に飛ぶ。
【００３７】
ステップＳ５７：  ＡＣアダプター接続時の電力測定をしない旨をＣＰＵ１１１はユーザーに向け警告表示する。
ステップＳ５８：  電力測定中は機器に触れないようＣＰＵ１１１はユーザーに向け警告表示する（アイドル状態の電力を測定するため）。
ステップＳ５９：  ＡＣアダプター駆動時の電力測定をＣＰＵ１１１は開始する。
ステップＳ６０：  壁紙切り替え電力測定処理をＣＰＵ１１１はする。詳しくは図６に関して説明する。
ステップＳ６１：  ＣＰＵ１１１は電源回路１２１を用いてバッテリ駆動に切り替える。
ステップＳ６２：  電力測定中は機器に触れないようＣＰＵ１１１はユーザーに向け警告表示する。
ステップＳ６３：  消費電力測定回路１２３はバッテリ駆動時の電力測定を開始する。
ステップＳ６４：  ステップＳ６０と同様にＣＰＵ１１１は壁紙切り替え電力測定処理をする。
ステップＳ６５：  ＡＣアダプターを接続しているかＣＰＵ１１１はＰＳＣ１２０、ＥＣ／ＫＢＣ１１９経由で判定する。この判定がＹｅｓの場合は次のステップＳ５８に進み、Ｎｏの場合は処理を終了する。
【００３８】
ステップＳ６６：  ＣＰＵ１１１はＡＣアダプター駆動に切り替え、処理を終了する。
図６は、実施形態の壁紙ごとの電力測定処理フロー図である。上記ステップＳ６０、ステップＳ６４を詳細化したサブルーチンである。
ステップＳ７１：  ＣＰＵ１１１は輝度を最大（１００％）に設定する。
ステップＳ７２：  ＣＰＵ１１１は壁紙切り替えを行う。
ステップＳ７３：  消費電力測定回路１２３はデスクトップアイドル状態でのシステム電力またはLEDバックライト電力の測定を行う。
ステップＳ７４：  ＣＰＵ１１１は全ての壁紙で測定したか判定する。この判定がＹｅｓの場合は次のステップＳ７５に進み、Ｎｏの場合はステップＳ７２に戻る。
ステップＳ７５：  ＣＰＵ１１１は壁紙ごとの電力データより壁紙ごとの省電力度合い(図７の省電力レベル参照)を判定する。
ステップＳ７６：  ＣＰＵ１１１は壁紙ごとの電力データと省電力度合いを次に述べるリストに保存する。
図７は、実施形態に用いられる壁紙ごとの省電力度合いリスト化例を示す図である。このリストはＣＰＵ１１１によって、ＨＤＤ１１６に記録され、維持がおこなわれる。即ちＣＰＵ１１１とＨＤＤ１１６は、複数の壁紙それぞれに対応する電力量を登録する登録手段を構成している。
【００３９】
図７では、壁紙のＩＤとして、壁紙Ａ，壁紙Ｂ，壁紙Ｃ…といった並びに対して、ＡＣアダプター駆動時とバッテリ駆動時と夫々に、電力と省電力レベルと省電力用壁紙設定とのデータがリストされている。なお、パス欄は各壁紙の所在を表すリンク情報（ディレクトリなどの具体的な内容は省略）である。
【００４０】
例えば、壁紙Ａに対してはＡＣアダプター駆動時において、（消費）電力は３．６Ｗであり対する省電力レベルの判定は５段階評価で星１つのレベルであり、省電力用壁紙設定については他の壁紙も同じく星１つのレベルながらも微差で最も電力が少ない故に推奨されるものとして使用がデフォルト設定されていることを表している。
【００４１】
また壁紙Ｂのバッテリ駆動時においては、（消費）電力は１．８Ｗであり対する省電力レベルの判定は同じく５段階評価で星４つのレベルであり、他の壁紙より推奨されるものとして使用がデフォルト設定されていることを表している。
【００４２】
なおＡＣアダプター駆動時とバッテリ駆動時とで省電力レベルの判定の様相が異なるのは、次に述べるDPST(R)技術の利用などによる。
壁紙の選択手段としては２種類がある。一つは自動のものであり、ＣＰＵ１１１によって、ＨＤＤ１１６に記録された上記リストから二重丸が付与された最も省電力な壁紙が選ばれ、ＧＰＵはこの壁紙を表示装置(ＬＣＤ)に表示させる。
【００４３】
他の壁紙の選択手段としては手動のものがあり、ＣＰＵ１１１によってＧＰＵ経由で表示装置に表示される上記リストの画像上において、例えばユーザーはタッチパネル１５を操作し所望の壁紙にカーソルを合せた後に、タッチパネル１５を指先で連打するとこの壁紙が選ばれ、ＧＰＵはこの壁紙を表示装置に表示させる。最も省電力な壁紙に次ぐ比較的省電力な壁紙の中からユーザーは好みのものを選ぶことができる。
【００４４】
図８は、実施形態に用いられる壁紙Ｄ（図８（ａ））と壁紙Ｅ（図８（ｂ））を示す図である。壁紙Ｄは壁紙Ｅより暗い色調であるので、一般的には壁紙Ｄは壁紙Ｅより消費電力が少ない傾向にある。同じような暗さ・色調の壁紙はグルーピングし、消費電力は測定せずに類推することによって、ユーザーの手間を削減できるように構成してもよい。
【００４５】
更にネット上にあり縮小画像が並んでいるようなサイトに対しては、それらの画像をポイントしたときに消費電力の類推値を算出、表示や仮セーブしておき、実際に対象を選択しダウンロードする際には測定するような構成を採ってもよい。ここでポイントとは例えば２つの方法が構成できる。一つはマウスカーソルを縮小画像に合せることであり、もう一つは更にマウスを右クリックすることである。
【００４６】
また対象を選択しダウンロードする際には一般にマウスを左クリックするが、ステップＳ４１に関し述べたようにこの壁紙はＣＰＵ１１１によりＨＤＤ１１６に取り込まれる。仮セーブは例えば、上記リストのフィールドを追加しておき、類推値等の他にこれらフィールドに仮であることのフラグやサイト、対象のＩＤを共に置いておく。そして、ダウンロード後には仮であることのフラグが立てられた壁紙群との同一性の判定後に類推値を省電力機能(アプリケーション)を起動した場合の測定値に置き換えフラグを消去するような構成を採ることができる。
【００４７】
なお参考として DPST(R)が有効時のLEDバックライト電力比較を挙げる。このDPST(R)はDisplay Power Saving Technologyの略で、グラフィックスの表示画像によりLEDバックライト電力を調整する省電力機能である。
【００４８】
条件としては、Gfx は内蔵Gfxで、DPST(R)はEnable、効果Maxで、 LCDは15.6”HD(1366x768)で、輝度は最大（100%）で、駆動形態はバッテリ駆動時である。
【００４９】
また壁紙としては、例えば４種でLEDバックライト電力は、壁紙Ｄ（図８（ａ））は1.91[W]、壁紙Ｅ（図８（ｂ））は3.00[W]、単色の白は2.47[W]、単色の黒は1.35[W]である。
【００５０】
＜実施形態の要旨＞
グラフィックス省電力機能には、表示画像によりLCDの輝度を制御しLEDバックライト電力を低減する機能が備わっているが、ユーザーはどのような壁紙画像ならより電力が下がるのかは分からない。そこで、ユーザーの使用したい壁紙ごとの電力を測定し、最も省電力効果がある壁紙を判定し、設定に応じて壁紙を切り替える機能を実装することで、よりいっそうの省電力が可能となる。
【００５１】
＜実施形態のポイント＞
１．壁紙ごとのデスクトップアイドル状態でのシステム電力またはLEDバックライト電力を測定し、壁紙ごとの省電力の度合いが判明する。
２．電力測定により判明した壁紙の省電力度合いより、最も省電力な壁紙または、ユーザーが選択（指定）した壁紙を使用状況に応じて切り替えることにより、機器の省電力を促進する。
【００５２】
以上、先行技術と比べた実施形態の効果として、より省電力な壁紙に切り替えることによって、デスクトップアイドル電力を低減し、機器の省電力化が可能である。
（１）どの壁紙がより節電に効果的かユーザーが確認できる。
（２）壁紙をより省電力なものに切り替えることにより、デスクトップアイドル画面での電力を低減でき、機器を省電力化する。
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００５３】
１０…パーソナルコンピュータ、１１９…ＥＣ／ＫＢＣ、１２０…電源コントローラ（ＰＳＣ）、１２１…電源回路、１２２…ＡＣアダプター。
【図１】
2014146152.tif 000003
【図２】
2014146152.tif 000004
【図３】
2014146152.tif 000005
【図４】
2014146152.tif 000006
【図５】
2014146152.tif 000007
【図６】
2014146152.tif 000008
【図７】
2014146152.tif 000009
【図８】
2014146152.tif 000010